(57)【特許請求の範囲】
【請求項１】
ケースを有する電気接続箱と、表裏を貫通する収容部が設けられると共に前記収容部内に前記電気接続箱が組み付けられるベースと、を備えた電気接続箱の組み付け構造であって、
前記ケースの外面のうち、前記収容部の貫通方向と交差する一の面からは電線が導出されており、前記電気接続箱は、前記収容部内に、前記電線の導出方向について後方から収容されるようになっており、前記電気接続箱が前記収容部内に収容された状態で、前記ケースのうち前記収容部の内壁と対向する位置には前記収容部側に突出する係合部が設けられており、前記収容部の内壁のうち前記係合部と対応する位置には係合受け部が形成されており、
前記電線が引っ張られた時に、前記係合部が、前記係合受け部に対して、前記導出方向について後方から当接するようになっている電気接続箱の組み付け構造。
【請求項２】
前記係合部は、前記ケースのうち、前記一の面を始点として、前記導出方向について後方に離間した位置に設けられている請求項１に記載の電気接続箱。
【請求項３】
前記ケースは、前記一の面側に開口するカバーと、前記カバーの開口に組み付けられると共に相手側コネクタと嵌合可能なコネクタと、を備え、前記相手側コネクタには前記電線が接続されており、前記係合部は前記カバーに設けられている請求項２に記載の電気接続箱の組み付け構造。
【請求項４】
前記カバーの外面には前記収容部側に突出すると共に前記導出方向について延びるガイド部が形成されており、前記収容部には前記ガイド部と摺接して前記電気接続箱を前記収容部内に案内するガイド受け部が形成されており、前記ガイド部のうち前記導出方向についての前端部が前記係合部とされる請求項３に記載の電気接続箱の組み付け構造。
【請求項５】
前記カバーの開口縁部には前記カバーが開口する方向に突出するロック受け部が形成されており、前記ロック受け部の内面は前記カバーの内面と面一に形成されており、前記コネクタの外面には前記ロック受け部との干渉を避ける逃がし凹部が陥没して形成されており、前記逃がし凹部には、前記ロック受け部と弾性的に係合するロック突部が突出して形成されている請求項３または請求項４に記載の電気接続箱の組み付け構造。
【請求項６】
前記電線は前記ケースの下面から下方に導出されており、前記電気接続箱は前記収容部内に上方から収容される請求項１ないし請求項５のいずれか一項に記載の電気接続箱の組み付け構造。
【発明の詳細な説明】
【技術分野】
【０００１】
本発明は、ベースに組み付けられた電気接続箱の組み付け構造に関する。
【背景技術】
【０００２】
従来、電源と負荷との間に配されて、電源からの電力を負荷への配電する車載用の電気接続箱（特許文献１に係る回路構成体に相当）として、特許文献１に記載のものが知られている。この電気接続箱は、ケース（特許文献１に係るインナーケースに相当）内に回路基板が収容されている。電気接続箱は、ベース（特許文献１に係るアッパーケースに相当）に組み付けられている。
【０００３】
ケースの下端部には相手側コネクタが嵌合するコネクタが設けられており、相手側コネクタには電線（特許文献１に係るワイヤーハーネスに相当）が接続されている。これにより、ケースの下面から、電線が下方に導出されている。
【０００４】
従来技術においては、電気接続箱は、ベースに対して下方から組み付けられている（特許文献１の段落００３６参照）。そして、電気接続箱に形成されたロック部と、ベースに形成されたロック受け部とが弾性的に係合することにより、電気接続箱はベースに対して抜け止めされるようになっている。
【先行技術文献】
【特許文献】
【０００５】
【特許文献１】特開２００６−３４５６８１号公報
【発明の概要】
【発明が解決しようとする課題】
【０００６】
上記の構成において、電線が引っ張られると、電線が接続された相手側コネクタは、電線の導出方向である下方に引っ張られる。すると、相手側コネクタが嵌合するコネクタも、下方に引っ張られ、更には、コネクタが取り付けられた電気接続箱も下方に引っ張られることが懸念される。
【０００７】
上記したように、ベースに対して下方から組み付けられた電気接続箱は、ロック部とロック受け部との弾性的な係合により、抜け止めされている。このため、電気接続箱が下方に引っ張られると、上記したロック部と、ロック受け部とが撓み変形し、場合によっては、ロック部と、ロック受け部との係合が外れることが懸念される。すると、電気接続箱が、電線の導出方向である下方に移動してしまうことが懸念される。
【０００８】
本発明は上記のような事情に基づいて完成されたものであって、電線が引っ張られた場合でも、電気接続箱が電線の導出方向に移動することが抑制された、電気接続箱の組み付け構造を提供することを目的とする。
【課題を解決するための手段】
【０００９】
本発明は、ケースを有する電気接続箱と、表裏を貫通する収容部が設けられると共に前記収容部内に前記電気接続箱が組み付けられるベースと、を備えた電気接続箱の組み付け構造であって、前記ケースの外面のうち、前記収容部の貫通方向と交差する一の面からは電線が導出されており、前記電気接続箱は、前記収容部内に、前記電線の導出方向について後方から収容されるようになっており、前記電気接続箱が前記収容部内に収容された状態で、前記ケースのうち前記収容部の内壁と対向する位置には前記収容部側に突出する係合部が設けられており、前記収容部の内壁のうち前記係合部と対応する位置には係合受け部が形成されており、前記電線が引っ張られた時に、前記係合部が、前記係合受け部に対して、前記導出方向について後方から当接するようになっている。
【００１０】
本発明によれば、電線が引っ張られると、電気接続箱のケースに設けられた係合部が、ベースの収容部に設けられた係合受け部に対して、電線の導出方向の後方から当接する。これにより、電線が引っ張られた場合でも、電気接続箱が導出方向の前方に移動することを抑制できる。
【００１１】
本発明の実施態様としては以下の態様が好ましい。
前記係合部は、前記ケースのうち、前記一の面を支点として、前記導出方向について後方に離間した位置に設けられていることが好ましい。
【００１２】
上記の態様によれば、電気接続箱を収容部内に収容する際に、電線が、係合部と係合受け部との間に挟まれてしまうことを抑制できる。
【００１３】
前記ケースは、前記一の面側に開口するカバーと、前記カバーの開口に組み付けられると共に相手側コネクタと嵌合可能なコネクタと、を備え、前記相手側コネクタには前記電線が接続されており、前記係合部は前記カバーに設けられていることが好ましい。
【００１４】
上記の態様によれば、コネクタに係合部を設ける場合に比べて、係合部を、ケースの一の面から離間した位置に形成する際における、設計の自由度が大きくなる。
【００１５】
前記カバーの外面には前記収容部側に突出すると共に前記導出方向について延びるガイド部が形成されており、前記収容部には前記ガイド部と摺接して前記電気接続箱を前記収容部内に案内するガイド受け部が形成されており、前記ガイド部のうち前記導出方向についての前端部が前記係合部とされることが好ましい。
【００１６】
上記の態様によれば、ガイド部と、係合部とを別体に設ける場合に比べて、部品点数を削減できる。
【００１７】
前記カバーの開口縁部には前記カバーが開口する方向に突出するロック受け部が形成されており、前記ロック受け部の内面は前記カバーの内面と面一に形成されており、前記コネクタの外面には前記ロック受け部との干渉を避ける逃がし凹部が陥没して形成されており、前記逃がし凹部には、前記ロック受け部と弾性的に係合するロック突部が突出して形成されていることが好ましい。
【００１８】
上記の態様のように係合部をカバーに設けると、電線が引っ張られた場合に、以下のような理由により、コネクタがカバーから離脱することが懸念される。すなわち、電線が引っ張られると、電線に接続された相手側コネクタも電線の導出方向前方に引っ張られる。更に、相手側コネクタが嵌合しているコネクタも、電線の導出方向前方に引っ張られることになる。すると、コネクタのロック突部と、カバーのロック受け部との係合が外れて、コネクタがカバーから離脱してしまうことが懸念される。
【００１９】
上記の点に鑑み、本態様によれば、コネクタの外面にはロック受け部との干渉を避ける逃がし凹部が形成されている。これにより、逃がし凹部が設けられない場合に比べて、ロック受け部の厚さ寸法を厚くすることができる。これにより、ロック突部に対するロック受け部の係りしろを大きくすることができる。これにより、電線が引っ張られた場合でも、ロック突部と、ロック受け部とが確実に係合するから、カバーからコネクタが外れることを抑制できる。
【００２０】
更に、ロック受け部の内面をカバーの内面と面一に形成する構成としたから、ロック受け部の係りしろを大きくした場合でも、電気接続箱が大型化することを抑制できる。
【００２１】
前記電線は前記ケースの下面から下方に導出されており、前記電気接続箱は前記収容部内に上方から収容されることが好ましい。
【００２２】
上記の態様によれば、ベースに対して電気接続箱を上方から組み付けることができる。これにより、ベースに電気接続箱を組み付ける際の作業性を向上させることができる。また、電気接続箱を交換する作業をする際の作業性も向上させることができる。
【発明の効果】
【００２３】
本発明によれば、電線が引っ張られた場合でも、電気接続箱が電線の導出方向に移動することを規制できる。
【図面の簡単な説明】
【００２４】
【図１】図１は、本発明の実施形態１に係る電気接続箱とベースとの組み付け構造を示す平面図である。
【図２】図２は、電気接続箱とベースとの組み付け構造を示す側面図である。
【図３】図３は、ベースを示す平面図である。
【図４】図４は、図３におけるＩＶ−ＩＶ線断面図である。
【図５】図５は、電気接続箱を示す斜視図である。
【図６】図６は、電気接続箱を示す側面図である。
【図７】図７は、図６におけるＶＩＩ−ＶＩＩ線断面図である。
【図８】図８は、図１におけるＶＩＩＩ−ＶＩＩＩ線断面図である。
【図９】図９は、本発明の実施形態２に係る電気接続箱とベースとの組み付け構造を示す平面図である。
【図１０】図１０は、電気接続箱とベースとの組み付け構造を示す側面図である。
【図１１】図１１は、ベースを示す平面図である。
【図１２】図１２は、図１１におけるＸＩＩ−ＸＩＩ線断面図である。
【図１３】図１３は、図１１におけるＸＩＩＩ−ＸＩＩＩ線断面図である。
【図１４】図１４は、電気接続箱を示す斜視図である。
【図１５】図１５は、電気接続箱を示す側面図である。
【図１６】図１６は、電気接続箱を示す側面図である。
【図１７】図１７は、図１６におけるＸＶＩＩ−ＸＶＩＩ線断面図である。
【図１８】図１８は、図１６におけるＸＶＩＩＩ−ＸＶＩＩＩ線断面図である。
【図１９】図１９は、コネクタ及び回路基板を示す斜視図である。
【図２０】図２０は、コネクタ及び回路基板を示す平面図である。
【図２１】図２１は、図９におけるＸＸＩ−ＸＸＩ線断面図である。
【図２２】図２２は、図９におけるＸＸＩＩ−ＸＸＩＩ線断面図である。
【図２３】図２３は、電気接続箱を収容部内に収容する途中の状態を示す断面図である。
【図２４】図２４は、電線が座屈する状態を示す断面図である。
【発明を実施するための形態】
【００２５】
＜実施形態１＞
本発明を、車載用の電気接続箱１０と、この電気接続箱１０が保持されるベース１１との組み付け構造に適用した実施形態１を、図１ないし図８を参照しつつ説明する。なお、以下の説明においては、図２における上方を上方とし、下方を下方として説明する。
【００２６】
（ベース１１）
図３及び図４に示すように、ベース１１は合成樹脂製であって、図４における上下方向に扁平な形状をなしている。このベース１１は、図示しない車両に単独で取り付けられてもよく、また、ベース１１の上下方向を覆う他の部材を組み合わせることにより、電気接続箱１０を含む複数の部材を収容するリレーボックスを形成する構成としてもよい。ベース１１には、図示しないリレー等の電子部品が搭載可能になっている。なお、以下の図においては、ベース１１の詳細な構造は省略して記載されている。
【００２７】
ベース１１には、表裏方向（図４における上下方向）に貫通すると共に、電気接続箱１０を収容可能な収容部１２が形成されている。図３に示すように、収容部１２の断面形状は概ね長方形状をなしている。収容部１２の大きさ、及び形状は、電気接続箱１０が収容可能に設定されている。
【００２８】
（電気接続箱１０）
図１に示すように、収容部１２内には電気接続箱１０が収容される。電気接続箱１０は、ベース１１の収容部１２内に、上方（図２における上方）から収容される。
【００２９】
図７に示すように、電気接続箱１０は、合成樹脂製のケース１３内に、回路基板１４を収容してなる。ケース１３は、図７における左右方向について扁平な直方体形状をなしている。ケース１３は図７における下方に開口する合成樹脂製のカバー１５と、この開口内に配される合成樹脂製のコネクタ１６と、を備える。
【００３０】
（カバー１５）
図６に示すように、カバー１５の外面のうち図６における左右両側面には、図６における上下方向に延びるガイド部１７が、左右両外方に突出して形成されている。図５に示すように、このガイド部１７は、カバー１５のそれぞれの側壁に、図５における左奥側から右手前側に向かう方向に並んで２つ形成されている。一方、図３に示すように、収容部１２のうち、図３における左右両側の内側壁には、ガイド部１７に対応する位置に、上下方向（図３における紙面を貫通する方向）に延びるガイド受け部１８が、陥没して形成されている。図１に示すように、このガイド部１７は、電気接続箱１０がベース１１の収容部１２内に収容される際に、収容部１２の内面に、上下方向に延びると共に陥没して形成されたガイド受け部１８と摺接するようになっている。これにより電気接続箱１０は収容部１２内の正規位置に案内されるようになっている。
【００３１】
（回路基板１４）
図７に示すように、回路基板１４は板面を図７における上下方向に向けた姿勢でケース１３内に収容されている。回路基板１４には、プリント配線技術により導電路（図示せず）が形成されている。回路基板１４の表面には図示しない電子部品が実装されている。この電子部品と導電路とは半田付け等の公知の手法により電気的に接続されている。
【００３２】
（コネクタ１６）
カバー１５の開口内に配されたコネクタ１６は、概ね直方体形状をなしている。図５に示すように、コネクタ１６の外面には、外方に突出する複数の第１ロック突部１９が形成されている。一方、カバー１５の開口縁部には、第１ロック突部１９と対応する位置に、カバー１５の開口方向（図５における下方）に突出する第１ロック受け部２０が形成されている。第１ロック受け部２０は概ねＵ字状をなしており、弾性撓み変形可能になっている。第１ロック突部１９と、第１ロック受け部２０とが弾性的に係合することにより、コネクタ１６とカバー１５とは一体に組み付けられるようになっている。
【００３３】
コネクタ１６は、図７における下方に開口すると共に相手側コネクタ２４を収容するフード部２１を備える。フード部２１内には端子金具２２の一方の端部が配されている。端子金具２２の他方の端部は、図７におけるフード部２１の上壁を貫通して、回路基板１４側に向かって曲げ形成された後、回路基板１４を貫通して、回路基板１４に形成された導電路に半田付け等の公知の手法により電気的に接続されている。端子金具２２は、図７における左右方向に２列に並ぶと共に、紙面を貫通する方向に並んで配されている。
【００３４】
フード部２１の開口縁部（図７における下端部）においては、フード部２１の肉厚方向外方に膨出する膨出部２３が形成されている。図７に示すように、この膨出部２３の図７における上面に対して、カバー１５の下端縁部が上方から当接した状態で、コネクタ１６とカバー１５とは組み付けられている。また、図６に示すように、膨出部２３の外面と、カバー１５の外面とは面一になるように形成されている。
【００３５】
図７に示すように、相手側コネクタ２４の図７における下面からは電線２５が導出されており、この電線２５は図示しない負荷と接続されている。相手側コネクタ２４がフード部２１内に嵌合した状態では、フード部２１内に配された端子金具２２と、相手側コネクタ２４とが電気的に接続されるようになっている。
【００３６】
図８に示すように、フード部２１内に相手側コネクタ２４が嵌合した状態では、電気接続箱１０の外面のうち収容部１２が貫通する方向と交差する面（本実施形態においては図８における下面）から、電線２５が下方に導出されている。本実施形態においては、図８における下方が、電気接続箱１０からの電線２５の導出方向について前方に相当し、図８における上方が、電気接続箱１０からの電線２５の導出方向について後方に相当する。図８における電気接続箱１０の下面は、電線２５が導出される導出面２６（特許請求の範囲に記載の一の面に相当）とされる。図８において導出面２６は一点鎖線で示される。
【００３７】
（組み付け構造）
図５に示すように、カバー１５の左右両側壁の外面には、図５における上方に片持ち状に延びると共に弾性撓み変形可能な舌片２７が形成されている。この舌片２７には、舌片２７の肉厚方向外方に突出する第２ロック突部２８が形成されている。一方、図８に示すように、収容部１２内に電気接続箱１０が収容された状態において、収容部１２において第２ロック突部２８と対応する位置には、第２ロック突部２８と弾性的に係合する第２ロック受け部２９が形成されている。
【００３８】
第２ロック受け部２９は、図８における収容部１２の左右両側壁の内面から左右方向内方に突出して形成されている。電気接続箱１０が収容部１２内の正規位置に収容された状態においては、第２ロック突部２８に対して第２ロック受け部２９は上方に位置している。この第２ロック受け部２９は、第２ロック突部２８に対して上方から当接することにより、電気接続箱１０が上方へ移動することを規制するようになっている。
【００３９】
図５に示すように、コネクタ１６の外面には、図５における左手前方向に突出する係合部３０が、右手前側から左奥側に向かう方向に２つ並んで形成されている。この係合部３０は、Ｕ字状をなすと共に下方に開口して配されている。図６に示すように、係合部３０は、コネクタ１６のうち図６における左右両側壁に設けられている。
【００４０】
また、図４に示すように、収容部１２の左右両側壁の下端部には、電気接続箱１０側に突出する一対の係合受け部３１が形成されている。本実施形態においては、係合受け部３１は、収容部１２の肉厚方向内方に突出している。図８に示すように、収容部１２内に電気接続箱１０が収容された状態において、係合部３０は、係合受け部３１に対して、図８における上方から当接するようになっている。これにより電気接続箱１０は、下方への移動が規制された状態で収容部１２内に保持される。
【００４１】
（作用、効果）
続いて、本実施形態の作用、効果について説明する。まず、電線２５が接続された状態の相手側コネクタ２４を、ベース１１の下側から上側へと、収容部１２内を挿通させる。次いで、ベース１１の上方において、相手側コネクタ２４を、電気接続箱１０のコネクタ１６と嵌合させる。その後、相手側コネクタ２４を下側に向けた姿勢で、電気接続箱１０を収容部１２内に上方から収容する。
【００４２】
電気接続箱１０が収容部１２内に進入すると、カバー１５に形成されたガイド部１７が、収容部１２に形成されたガイド受け部１８と摺接する。これにより、電気接続箱１０の進入方向がガイド部１７の延びる方向に規制される。これにより電気接続箱１０が正規位置へと案内される。
【００４３】
更に電気接続箱１０を下方に移動させると、収容部１２に形成された第２ロック受け部２９が、カバー１５に形成された第２ロック突部２８に乗り上げる。これにより、第２ロック突部２８が形成された舌片２７が撓み変形する。更に電気接続箱１０を下方に移動させると、電気接続箱１０が収容部１２内の正規位置に配される。
【００４４】
すると、第２ロック受け部２９が第２ロック突部２８を乗り越えて、舌片２７が復帰変形する。すると、第２ロック受け部２９は、第２ロック突部２８の上方の位置に配される。このとき、第２ロック受け部２９は、常に第２ロック突部２８に対して上方から当接していてもよく、また、電気接続箱１０を上方に移動させようとする力が電気接続箱１０に作用したときに、第２ロック突部２８と上方から当接してもよい。
【００４５】
電気接続箱１０が収容部１２内に正規位置に配された状態において、コネクタ１６に形成された係合部３０は、収容部１２に形成された係合受け部３１に対して、上方から当接する。これにより、電気接続箱１０は、下方に移動することを規制された状態で収容部１２内に保持される。
【００４６】
上記の電気接続箱１０は、下方から電線２５が導出されている。この電線２５が引っ張られると、電気接続箱１０も、下方に引っ張られる。本実施形態においては、電気接続箱１０に設けられた係合部３０は、収容部１２に設けられた係合受け部３１に対して上方から当接しているから、電気接続箱１０が下方に変位することが規制される。この結果、電線２５が引っ張られた場合でも、電気接続箱１０が下方に移動することを抑制できる。
【００４７】
また、本実施形態においては、電気接続箱１０は、ベース１１に対して上方から組み付けられる。これにより、ベース１１に電気接続箱１０を組み付ける際の作業性を向上させることができる。また、電気接続箱１０を交換する等のメンテナンス作業の効率を向上させることができる。
【００４８】
＜実施形態２＞
次に、本発明の実施形態２を図９ないし図２４を参照しつつ説明する。以下の説明においては、図１０における上方を上方とし、下方を下方として説明する。
【００４９】
（ベース５１）
図１１及び図１２に示すように、ベース５１は合成樹脂製であって、図１２における上下方向に扁平な形状をなしている。このベース５１は、図示しない車両に単独で取り付けられてもよく、また、ベース５１の上下方向を覆う他の部材を組み合わせることにより、電気接続箱５０を含む複数の部材を収容するリレーボックスを形成する構成としてもよい。ベース５１には、図示しないリレー等の電子部品が搭載可能になっている。なお、以下の図においては、ベース５１の詳細な構造は省略して記載されている。
【００５０】
ベース５１には、表裏方向（図１２における上下方向）に貫通すると共に、電気接続箱５０を収容可能な収容部５２が形成されている。図１１に示すように、収容部５２の断面形状は概ね長方形状をなしている。収容部５２の大きさ、及び形状は、電気接続箱５０が収容可能に設定されている。
【００５１】
（電気接続箱５０）
図９に示すように、収容部５２内には電気接続箱５０が収容される。電気接続箱５０は、ベース５１の収容部５２内に、上方（図１０における上方）から収容される。
【００５２】
図１７に示すように、電気接続箱５０は、合成樹脂製のケース５３内に、回路基板５４を収容してなる。ケース５３は、図１７における左右方向について扁平な直方体形状をなしている。ケース５３は図１７における下方に開口する合成樹脂製のカバー５５と、この開口内に配される合成樹脂製のコネクタ５６と、を備える。
【００５３】
（カバー５５）
図１５に示すように、カバー５５の外面のうち図１５における左右両側面には、上下方向に延びるガイド部５７が、左右両外方に突出して形成されている。図１４に示すように、このガイド部５７は、カバー５５のそれぞれの側壁に、図１４における左奥側から右手前側に向かう方向に並んで２つ形成されている。一方、図１１に示すように、収容部５２のうち、図１１における左右両側の内側壁には、ガイド部５７に対応する位置に、上下方向（図１１における紙面を貫通する方向）に延びるガイド受け部５８が、陥没して形成されている。図９に示すように、このガイド部５７は、電気接続箱５０がベース５１の収容部５２内に収容される際に、収容部５２の内面に、上下方向に延びると共に陥没して形成されたガイド受け部５８と摺接するようになっている。これにより電気接続箱５０は収容部５２内の正規位置に案内されるようになっている。
【００５４】
（回路基板５４）
図１７に示すように、回路基板５４は板面を図１７における上下方向に向けた姿勢でケース５３内に収容されている。回路基板５４には、プリント配線技術により導電路（図示せず）が形成されている。回路基板５４の表面には図示しない電子部品が実装されている。この電子部品と導電路とは半田付け等の公知の手法により電気的に接続されている。
【００５５】
（コネクタ５６）
カバー５５の開口内に配されたコネクタ５６は、概ね直方体形状をなしている。図１４に示すように、コネクタ５６の外面には、外方に突出する複数の第１ロック突部５９（特許請求の範囲に記載のロック突部に相当）が形成されている。一方、カバー５５の開口縁部には、第１ロック突部５９と対応する位置に、カバー５５の開口方向（図１４における下方）に突出する第１ロック受け部６０（特許請求の範囲に記載のロック受け部に相当）が形成されている。第１ロック受け部６０は概ねＵ字状をなしており、弾性撓み変形可能になっている。第１ロック突部５９と、第１ロック受け部６０とが弾性的に係合することにより、コネクタ５６とカバー５５とは一体に組み付けられるようになっている。
【００５６】
図２０に示すように、コネクタ５６の外面には、上述した第１ロック受け部６０との干渉を避けるための逃がし凹部９０が、陥没して形成されている。上記した第１ロック突部５９は、この逃がし凹部９０内に形成されている。また、図１８に示すように、第１ロック受け部６０の内面は、カバー５５の内面と面一に形成されている。
【００５７】
コネクタ５６は、図１７における下方に開口すると共に相手側コネクタ６４を収容するフード部６１を備える。フード部６１内には端子金具６２の一方の端部が配されている。端子金具６２の他方の端部は、図１７におけるフード部６１の上壁を貫通して、回路基板５４側に向かって曲げ形成された後、回路基板５４を貫通して、回路基板５４に形成された導電路に半田付け等の公知の手法により電気的に接続されている。端子金具６２は、図１７における左右方向に２列に並ぶと共に、紙面を貫通する方向に並んで配されている。詳細には、図１９に示すように、端子金具６２は右手前側から左奥側に向かう方向について２列に並ぶと共に、左手前側から右奥側に向かう方向について並んで配されている。
【００５８】
フード部６１の開口縁部（図１７における下端部）においては、フード部６１の肉厚方向外方に膨出する膨出部６３が形成されている。図１７に示すように、この膨出部６３の図１７における上面に対して、カバー５５の下端縁部が上方から当接した状態で、コネクタ５６とカバー５５とは組み付けられている。また、図６に示すように、膨出部６３の外面と、カバー５５の外面とは面一になるように形成されている。
【００５９】
図１７に示すように、相手側コネクタ６４の図１７における下面からは電線６５が導出されており、この電線６５は図示しない負荷と接続されている。相手側コネクタ６４がフード部６１内に嵌合した状態では、フード部６１内に配された端子金具６２と、相手側コネクタ６４とが電気的に接続されるようになっている。
【００６０】
図２２に示すように、フード部６１内に相手側コネクタ６４が嵌合した状態では、電気接続箱５０の外面のうち収容部５２が貫通する方向と交差する面（本実施形態においては図２２における下面）から、電線６５が下方に導出される。本実施形態においては、図２２における下方が、電気接続箱５０からの電線６５の導出方向について前方に相当し、図２２における上方が、電気接続箱５０からの電線６５の導出方向について後方に相当する。図２２における電気接続箱５０の下面は、電線６５が導出される導出面６６（特許請求の範囲に記載の一の面に相当）とされる。導出面６６は図２２において一点鎖線で示される。
【００６１】
（組み付け構造）
図２１に示すように、カバー５５の左右両側壁の外面には、図２１における上方に片持ち状に延びると共に弾性撓み変形可能な舌片６７が形成されている。この舌片６７には、舌片６７の肉厚方向外方に突出する第２ロック突部６８が形成されている。一方、図２１に示すように、収容部５２内に電気接続箱５０が収容された状態において、収容部５２において第２ロック突部６８と対応する位置には、第２ロック突部６８と弾性的に係合する第２ロック受け部６９が形成されている。
【００６２】
第２ロック受け部６９は、図２１における収容部５２の左右両側壁の内面から、左右方向について内方に突出して形成される。電気接続箱５０が収容部５２内の正規位置に収容された状態においては、第２ロック突部６８に対して第２ロック受け部６９は上方に位置している。この第２ロック受け部６９は、第２ロック突部６８に対して上方から当接することにより、電気接続箱５０が上方へ移動することを規制するようになっている。
【００６３】
図２２に示すように、ガイド部５７の下端部（電線６５の導出方向について前端部に相当）は係合部７０とされる。図２２に示すように、収容部５２の左右両側壁には、電気接続箱５０側に突出する一対の係合受け部７１が形成されている。本実施形態では、係合受け部７１は、収容部５２の肉厚方向内方に突出して形成されている。図２２に示すように、収容部５２内に電気接続箱５０が収容された状態において、係合部７０は、係合受け部７１に対して、図２２における上方から当接するようになっている。これにより電気接続箱５０は、下方への移動が規制された状態で収容部５２内に保持される。
【００６４】
上記した係合受け部７１は、電気接続箱５０における電線６５の導出面６６から、上方（電線６５の導出方向について後方に相当）に離間した位置に設けられている。詳細には、電気接続箱５０の導出面６６から上方に向かって、電気接続箱５０の上下方向の高さ寸法について概ね３分の１離間した位置に、係合受け部７１が設けられている。
【００６５】
（作用、効果）
続いて、本実施形態の作用、効果について以下に説明する。まず、電線６５が接続された状態の相手側コネクタ６４を、ベース５１の下側から上側へと、収容部５２内を挿通させる。次いで、ベース５１の上方において、相手側コネクタ６４を、電気接続箱５０のコネクタ５６と嵌合させる。その後、相手側コネクタ６４を下側に向けた姿勢で、電気接続箱５０を収容部５２内に上方から収容する。
【００６６】
電気接続箱５０が収容部５２内に進入すると、カバー５５に形成されたガイド部５７が、収容部５２に形成されたガイド受け部５８と摺接する。これにより、電気接続箱５０の進入方向がガイド部５７の延びる方向に規制される。これにより電気接続箱５０が正規位置へと案内される。
【００６７】
このとき、図２４に示すように、係合部８０が、電気接続箱５０の導出面６６と比較的に近い位置に設けられている場合には、収容部５２内に挿通された電線６５が係合受け部７１の上面と接触して座屈された状態のまま、係合部８０と、係合受け部７１との間に電線６５が挟まってしまうおそれがある。このような状態のまま、無理に電気接続箱５０を収容部５２内に押し込もうとすると、電線６５が損傷する等の不具合が生じることが懸念される。
【００６８】
上記の点に鑑み、図２３に示すように、本実施形態に係る係合部７０は、電気接続箱５０の導出面６６から、電線６５の導出方向について後方（図２３における上方）に離間した位置に設けられている。これにより、仮に、電線６５が係合受け部７１の上面と接触したとしても、電気接続箱５０の下方への移動に伴って電線６５の導出面６６が係合受け部７１よりも下方（電線６５の導出方向について前方）に移動することにより、導出面６６から導出される電線６５も下方に引っ張られる。この結果、電線６５は係合受け部７１の上面から抜け出すことができるので、電線６５が、係合部７０と、係合受け部７１との間に挟まれることを抑制することができる。
【００６９】
更に電気接続箱５０を下方に移動させると、収容部５２に形成された第２ロック受け部６９が、カバー５５に形成された第２ロック突部６８に乗り上げる。これにより、第２ロック突部６８が形成された舌片６７が撓み変形する。更に電気接続箱５０を下方に移動させると、電気接続箱５０が収容部５２内の正規位置に配される。
【００７０】
すると、第２ロック受け部６９が第２ロック突部６８を乗り越えて、舌片６７が復帰変形する。すると、第２ロック受け部６９は、第２ロック突部６８の上方の位置に配される。このとき、第２ロック受け部６９は、常に第２ロック突部６８に対して上方から当接していてもよく、また、電気接続箱５０を上方に移動させようとする力が電気接続箱５０に作用したときに、第２ロック突部６８と上方から当接してもよい（図２１参照）。
【００７１】
電気接続箱５０が収容部５２内に正規位置に配された状態において、カバー５５に形成された係合部７０は、収容部５２に形成された係合受け部７１に対して、上方から当接する。これにより、電気接続箱５０は、下方に移動することを規制された状態で収容部５２内に保持される。
【００７２】
上記の電気接続箱５０は、下方から電線６５が導出されている。この電線６５が引っ張られると、電気接続箱５０も、下方に引っ張られる。本実施形態においては、電気接続箱５０に設けられた係合部７０は、収容部５２に設けられた係合受け部７１に対して上方から当接しているから、電気接続箱５０が下方に変位することが規制される。この結果、電線６５が引っ張られた場合でも、電気接続箱５０が下方に移動することを抑制できる。
【００７３】
また、本実施形態においては、係合部７０は、コネクタ５６とは別体のカバー５５に設けられている。このコネクタ５６からは、相手側コネクタ６４を介して接続された電線６５が導出されている。このため、コネクタ５６に係合部７０を設ける場合に比べて、係合部７０を、電線６５の導出面６６から離間した位置に設ける際における、設計の自由度が大きくなる。
【００７４】
更に、本実施形態においては、ガイド部５７の下端部（電線６５の導出方向の前端部）にガイド部５７を設ける構成としたから、ガイド部５７と、係合部７０とを別体に設ける場合に比べて、部品点数を削減できる。
【００７５】
また、本実施形態の態様のように係合部７０をカバー５５に設けると、電線６５が引っ張られた場合に、以下のような理由により、コネクタ５６がカバー５５から離脱することが懸念される。すなわち、電線６５が引っ張られると、電線６５に接続された相手側コネクタ６４も電線６５の導出方向前方に引っ張られる。更に、相手側コネクタ６４が嵌合しているコネクタ５６も、電線６５の導出方向前方に引っ張られることになる。すると、コネクタ５６の第１ロック突部５９と、カバー５５の第１ロック受け部６０との係合が外れて、コネクタ５６がカバー５５から離脱してしまうことが懸念される。
【００７６】
上記の点に鑑み、本実施形態においては、コネクタ５６の外面には第１ロック受け部６０との干渉を避ける逃がし凹部９０が形成されている。これにより、逃がし凹部９０が設けられない場合に比べて、第１ロック受け部６０の厚さ寸法を厚くすることができる。これにより、第１ロック突部５９に対する第１ロック受け部６０の係りしろを大きくすることができる。これにより、電線６５が引っ張られた場合でも、第１ロック突部５９と、第１ロック受け部６０とが確実に係合するから、カバー５５からコネクタ５６が外れることを抑制できる。
【００７７】
更に、ロック受け部の内面をカバー５５の内面と面一に形成する構成としたから、第１ロック受け部６０の係りしろを大きくした場合でも、電気接続箱５０が大型化することを抑制できる。
【００７８】
また、本実施形態においては、電気接続箱５０は、ベース５１に対して上方から組み付け可能に形成されている。これにより、ベース５１に電気接続箱５０を組み付ける際の作業性を向上させることができる。また、電気接続箱５０を交換する等のメンテナンス作業の効率を向上させることができる。
【００７９】
＜他の実施形態＞
本発明は上記記述及び図面によって説明した実施形態に限定されるものではなく、例えば次のような実施形態も本発明の技術的範囲に含まれる。
（１）係合部と係合受け部とは、常には離間しており、電線が引っ張られた時にのみ、係合部が、電線の導出方向について後方から、係合受け部に当接する構成としてもよい。
（２）本実施形態においては、電線はケースのうち収容部の貫通方向と交差する１つの面（下面）から導出される構成としたが、上面から導出される構成としてもよく、また、上面及び下面の双方から導出される構成としてもよく、必要に応じて、収容部の貫通方向と交差する複数の任意の面から導出される構成としてもよい。
（３）本実施形態においては、カバーとコネクタとは、コネクタに設けられた第１ロック突部と、カバーに設けられた第１ロック受け部とが係合することにより一体に組み付けられる構成としたが、これに限られず、ネジ止め、接着、溶着等、必要に応じて任意の手法によりカバーとコネクタとを一体に組み付ける構成としてもよい。
（４）本実施形態においては、電気接続箱はベースに対して上方から収容される構成としたが、これに限られず、下方から、又は、水平方向から等、必要に応じて任意の方向から収容部に収容される構成としてもよい。
（５）本実施形態においては、電気接続箱はコネクタを下側に向けた姿勢でベースに保持される構成としたが、これに限られず、電気接続箱は必要に応じて任意の姿勢でベースに保持される構成としてもよい。
【符号の説明】
【００８０】
１０，５０…電気接続箱
１１，５１…ベース
１２，５２…収容部
１３，５３…ケース
１５，５５…カバー
１６，５６…コネクタ
１７，５７…ガイド部
１８，５８…ガイド受け部
２４，６４…相手側コネクタ
２６，６６…導出面（一の面）
２５，６５…電線
３０，７０…係合部
３１，７１…係合受け部
５９…第１ロック突部（ロック突部）
６９…第２ロック受け部（ロック受け部）
９０…逃がし凹部
【図１】
0005407612.tif 000002
【図２】
0005407612.tif 000003
【図３】
0005407612.tif 000004
【図４】
0005407612.tif 000005
【図５】
0005407612.tif 000006
【図６】
0005407612.tif 000007
【図７】
0005407612.tif 000008
【図８】
0005407612.tif 000009
【図９】
0005407612.tif 000010
【図１０】
0005407612.tif 000011
【図１１】
0005407612.tif 000012
【図１２】
0005407612.tif 000013
【図１３】
0005407612.tif 000014
【図１４】
0005407612.tif 000015
【図１５】
0005407612.tif 000016
【図１６】
0005407612.tif 000017
【図１７】
0005407612.tif 000018
【図１８】
0005407612.tif 000019
【図１９】
0005407612.tif 000020
【図２０】
0005407612.tif 000021
【図２１】
0005407612.tif 000022
【図２２】
0005407612.tif 000023
【図２３】
0005407612.tif 000024
【図２４】
0005407612.tif 000025